(57)【要約】【課題】上位装置と、これに接続されたコードレス電話装置などの下位装置との間で同期が合っているのか否かを適切に報知できるようにする。【解決手段】ハブ装置２で生成した基準同期信号ＳＹＮＣを、コードレス電話装置の親機に提供し、当該親機において基準同期信号ＳＹＮＣを用いて、当該親機で用いるフレーム同期信号ＦＬを生成する。このフレーム同期信号ＦＬを、ハブ装置２にフィードバックし、比較部２６（１）〜２６（ｎ）で基準同期信号ＳＹＮＣとフレーム同期信号ＦＬとを比較して同期ずれを検出し、検出結果をＬＥＤ部２８（１）〜２８（ｎ）を通じて報知する。【選択図】図４
2018164130.tif 000002
【特許請求の範囲】
【請求項１】
上位装置に対して、親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記上位装置は、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段での比較結果を、自機に接続されている前記下位装置ごとに報知する報知手段と
を備え、
前記下位装置のそれぞれは、
前記上位装置からの前記第１の同期信号を受け付ける第２の受付手段と、
前記第２の受付手段を通じて受け付けた前記第１の同期信号に基づいて、自機において使用する前記第２の同期信号を生成する第２の同期信号生成手段と、
前記第２の同期信号生成手段で生成された前記第２の同期信号を、前記上位装置に送出する第２の送出手段と
を備えることを特徴とする電話システム。
【請求項２】
上位装置に対して、親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記上位装置は、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段の比較結果が同期ずれの発生を示している場合に、前記比較結果に基づいて、同期ずれの発生元に供給する前記第１の同期信号生成部で生成された前記第１の同期信号を補正し、前記第１の送出手段を通じて、前記同期ずれの発生元に供給するようにする補正手段と
を備え、
前記下位装置のそれぞれは、
前記上位装置からの前記第１の同期信号を受け付ける第２の受付手段と、
前記第２の受付手段を通じて受け付けた前記第１の同期信号に基づいて、自機において使用する前記第２の同期信号を生成する第２の同期信号生成手段と、
前記第２の同期信号生成手段で生成された前記第２の同期信号を、前記上位装置に送出する第２の送出手段と
を備えることを特徴とする電話システム。
【請求項３】
上位装置に対して、親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムの下位装置であって、
前記上位装置は、前記下位装置のそれぞれに供給する第１の同期信号を生成する第１の同期信号生成手段と、前記第１の同期信号生成手段で生成された前記第１の同期信号を、前記下位装置のそれぞれに送出する第１の送出手段と、前記下位装置のそれぞれから、前記第１の同期信号に基づいて生成された第２の同期信号を受け付ける第１の受付手段と、前記第１の受付手段を通じて受け付けた、前記下位装置のそれぞれからの前記第２の同期信号と、前記第１の同期信号生成手段からの前記第１の同期信号とを比較し、同期ずれを検出する比較手段とを備え、前記比較手段での比較結果に基づいて、前記第１の同期信号と前記第２の同期信号とのずれの報知、あるいは、ずれの補正を行うことができるものであり、
前記下位装置は、
前記上位装置からの前記第１の同期信号を受け付ける第２の受付手段と、
前記第２の受付手段を通じて受け付けた前記第１の同期信号に基づいて、自機において使用する前記第２の同期信号を生成する第２の同期信号生成手段と、
前記第２の同期信号生成手段で生成された前記第２の同期信号を、前記上位装置に送出する第２の送出手段と
を備えたことを特徴とする電話システムの下位装置。
【請求項４】
親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムの上位装置であって、
前記下位装置は、前記上位装置からの前記第１の同期信号を受け付ける第２の受付手段と、前記第２の受付手段を通じて受け付けた前記第１の同期信号に基づいて、自機において使用する前記第２の同期信号を生成する第２の同期信号生成手段と、前記第２の同期信号生成手段で生成された前記第２の同期信号を、前記上位装置に送出する第２の送出手段とを備えるものであり、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段での比較結果を、自機に接続されている前記下位装置ごとに報知する報知手段と
を備えることを特徴とする電話システムの上位装置。
【請求項５】
親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムの上位装置であって、
前記下位装置は、前記上位装置からの前記第１の同期信号を受け付ける第２の受付手段と、前記第２の受付手段を通じて受け付けた前記第１の同期信号に基づいて、自機において使用する前記第２の同期信号を生成する第２の同期信号生成手段と、前記第２の同期信号生成手段で生成された前記第２の同期信号を、前記上位装置に送出する第２の送出手段とを備えるものであり、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段の比較結果が同期ずれの発生を示している場合に、前記比較結果に基づいて、同期ずれの発生元に供給する前記第１の同期信号生成部で生成された前記第１の同期信号を補正し、前記第１の送出手段を通じて、前記同期ずれの発生元に供給するようにする補正手段と
を備えることを特徴とする電話システムの上位装置。
【請求項６】
請求項４または請求項５に記載の電話システムの上位装置であって、
自機よりも上位にある他の上位装置からの同期信号を受け付ける第３の受付手段と、
前記同期信号生成手段で生成された前記第１の同期信号を、前記他の上位装置に送出する第３の送出手段と
を備え、
前記第１の同期信号生成手段が、前記第３の受付手段を通じて受け付けた前記同期信号に基づいて、前記第１の同期信号を生成するものである
ことを特徴とする電話システムの上位装置。
【発明の詳細な説明】
【技術分野】
【０００１】
この発明は、ＴＤＭＡ（Time Division Multiple Access；時分割多元接続）／ＴＤＤ（Time Division Duplex；時分割複信）方式が適用されたデジタルコードレス電話装置を含んで構成される電話システム、当該電話システムで用いられる装置及び方法に関する。
【背景技術】
【０００２】
近年、いわゆる主装置などの上位装置に対して、下位装置として親機と子機とが無線接続されるコードレス電話装置などを接続して構成するビジネスホンシステム（ボタン電話システム）が提供されるようになってきている。コードレス電話装置を構成する親機と子機との間では、ＤＥＣＴ（Digital Enhanced Cordless Telecommunication）規格の通信方式が用いられている場合が多くなってきている。
【０００３】
ＤＥＣＴ規格においては、親機から子機へのダウンリンクでの通信方式は時分割多重方式を使用する時分割複信方式であること、子機から親機へのアップリンクの通信方式は時分割多元接続方式を使用する時分割複信方式であることが定められている。また、ＤＥＣＴ規格において、使用周波数帯は、従来のコードレス電話装置の場合の「２．４ＧＨｚ帯」とは異なる「１．９ＧＨｚ帯」を使用すること、チャンネル数は、最大５チャンネルであることなどが定められている。
【０００４】
また、ＤＥＣＴ規格では、符号化データの１チャンネルにおける１フレームは１０ミリ秒（ｍｓ）であり、図１２に示すように、２４タイムスロットに分割されている。なお、以下においては、タイムスロットを単にスロットと記載する。そして、１フレームの前半の１／２フレーム期間の１２スロットＳ０〜Ｓ１１は、親機から子機へのダウンリンクに用いられ、後半の１／２フレーム期間の１２スロットＳ１２〜Ｓ２３は、子機から親機へのアップリンクに用いられる。
【０００５】
このようなＤＥＣＴ規格の複数のコードレス電話装置が、上位装置に対して接続されて構成される電話システムの場合、上述したように、１フレームの各スロットを重複することがないように各コードレス電話装置が使用する。このため、各コードレス電話装置間の同期が合っている必要がある。特にビジネスホンのように、多数のコードレス電話装置を上位装置に接続して利用する場合には、同期が合っていないと使用できるコードレス電話装置が実際に使用可能なコードレス電話装置よりも少なくなってしまう可能性がある。
【０００６】
つまり、重複することがないように使用するスロットを各コードレス電話装置間で決めても、同期が合っていないと、結果としてスロットを異なるコードレス電話装置間で重複して使用してしまう状況が発生する。この場合、正常な通話ができなくなるコードレス電話装置が発生しかねない。そこで、ビジネスホンシステムで用いられるＤＥＣＴ規格のコードレス電話装置では、後に記す特許文献１に開示されているように、主装置などの上位装置からの同期信号に基づいて、各コードレス電話装置間で同期を取るようにしている。
【先行技術文献】
【特許文献】
【０００７】
【特許文献１】特開２０１５−１７７２３８
【発明の概要】
【発明が解決しようとする課題】
【０００８】
特許文献１に記載の技術を用いた場合であっても、種々の要因によって、各コードレス電話装置間で同期が合わなくなることが発生する可能性がある。例えば、上位装置とコードレス電話装置とがＬＡＮ（Local Area Network）接続される場合を考える。例えば、上位装置とコードレス電話装置とを接続するＬＡＮケーブルの同期信号ラインが断線している場合、規定以上の長さのＬＡＮケーブルを使用している場合、規格外のＬＡＮケーブルを使用している場合などにおいては、当該上位装置と当該コードレス電話装置との間の同期が合わなくなる。この場合、上位装置からの同期信号を用いることによって同期が合わされるコードレス電話装置間の同期も合わなくなる。
【０００９】
また、主装置とコードレス電話装置間にハブ装置などの中継装置が多数介在していた場合に、主装置から全てのコードレス電話装置に同じタイミングで同期信号を送出していても、コードレス電話装置に到達する際にずれが生じることが懸念される。また、各コードレス電話装置においてシステムクロックを生成するための発振器の精度などの影響を受けて、各コードレス電話装置間で同期がずれることも懸念される。
【００１０】
このような要因により、各コードレス電話装置間で同期が合わなくなった場合に、上述したように、スロットを有効に使用できず、同時に使用できるコードレス電話装置が、想定よりも少なくなってしまう可能性がある。しかし、ユーザ側では、同期ずれが原因でコードレス電話装置の同時接続台数が減っている場合でも、同期ずれが発生しているのか、妨害電波が生じているのか、あるいは、輻輳が発生しているのかなど、原因が分からない。原因を特定するためにはアナライザなどを用いて電波を解析する必要があるが、手間や時間がかかってしまう。
【００１１】
以上のことに鑑み、上記課題の解決を図るものであり、第１の発明は、上位装置とこれに接続されたコードレス電話装置などの下位装置との間で同期が合っている否かを適切に報知できるようにすることを目的とする。また、第２の発明は、上位装置とこれに接続されたコードレス電話装置などの下位装置との間で同期が合っていない場合に同期合わせを自律的に行えるようにすることを目的とする。
【課題を解決するための手段】
【００１２】
上記課題を解決するため、第１の発明の電話システムは、
上位装置に対して、親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記上位装置は、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段での比較結果を、自機に接続されている前記下位装置ごとに報知する報知手段と
を備え、
前記下位装置のそれぞれは、
前記上位装置からの前記第１の同期信号を受け付ける第２の受付手段と、
前記第２の受付手段を通じて受け付けた前記第１の同期信号に基づいて、自機において使用する前記第２の同期信号を生成する第２の同期信号生成手段と、
前記第２の同期信号生成手段で生成された前記第２の同期信号を、前記上位装置に送出する第２の送出手段と
を備えることを特徴とする。
【００１３】
この第１の発明の電話システムによれば、上位装置で生成された第１の同期信号が、下位装置に提供され、下位装置において第１の同期信号が用いられて、当該下位装置で用いられる第２の同期信号が生成される。この下位装置で生成された第２の同期信号が、上位装置にフィードバックされ、比較手段において第１の同期信号と第２に同期信号とを比較して同期ずれの有無を検出する。そして、上位装置において、報知手段が同期ずれの有無を、当該上位装置に接続されている下位装置ごとに報知する。これにより、同期ずれの発生している機器間を明確に使用者に報知できる。
【００１４】
上記課題を解決するため、第２の発明の電話システムは、
上位装置に対して、親機と子機とからなるコードレス電話装置や前記コードレス電話装置が接続されるハブ装置などの下位装置が複数接続されると共に、前記親機と前記子機との間では、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記上位装置は、
前記下位装置のそれぞれに供給する第１の同期信号を生成する第１の同期信号生成手段と、
前記第１の同期信号生成手段で生成された前記第１の同期信号を、前記下位装置のそれぞれに送出する第１の送出手段と、
前記下位装置のそれぞれから、前記第１の同期信号に基づいて生成された第２の同期信号を受け付ける第１の受付手段と、
前記第１の受付手段を通じて受け付けた、前記下位装置のそれぞれからの前記第２の同期信号と、前記第１の同期信号生成手段からの前記第１の同期信号とを比較し、同期ずれを検出する比較手段と、
前記比較手段の比較結果が同期ずれの発生を示している場合に、前記比較結果に基づいて、同期ずれの発生元に供給する前記第１の同期信号生成部で生成された前記第１の同期信号を補正し、前記第１の送出手段を通じて、前記同期ずれの発生元に供給するようにする補正手段と
を備え、
前記下位装置のそれぞれは、
前記上位装置からの前記第１の同期信号を受け付ける第２の受付手段と、
前記第２の受付手段を通じて受け付けた前記第１の同期信号に基づいて、自機において使用する前記第２の同期信号を生成する第２の同期信号生成手段と、
前記第２の同期信号生成手段で生成された前記第２の同期信号を、前記上位装置に送出する第２の送出手段と
を備えることを特徴とする。
【００１５】
この第２の発明の電話システムによれば、上位装置で生成された第１の同期信号が、下位装置に提供され、下位装置において第１の同期信号が用いられて、当該下位装置で用いられる第２の同期信号が生成される。この下位装置で生成された第２の同期信号が、上位装置にフィードバックされ、比較手段において第１の同期信号と第２に同期信号とを比較して同期ずれを検出する。そして、同期ずれが発生している場合には、比較手段での比較結果に基づいて、補正手段が、同期ずれの原因となっている第２の同期信号を生成している下位装置、すなわち同期ずれの発生元に供給する第１の同期信号を補正し、当該同期ずれの発生元に供給するようにする。これにより、同期ずれを上位装置が自律的（自動的）に解消できる。
【発明の効果】
【００１６】
この出願の第１の発明によれば、上位装置と複数のコードレス電話装置などの下位装置との間で同期が合っているのか否かを適切に報知できる。また、この出願の第２の発明によれば、上位装置と複数のコードレス電話装置などの下位装置との間で同期が合っていない場合に同期合わせを自律的に行うことができる。
【図面の簡単な説明】
【００１７】
【図１】実施の形態の電話システムの全体の構成例を示すブロック図である。
【図２】主装置の構成例を説明するためのブロック図である。
【図３】主装置のアドレス管理ＤＢに形成される管理情報（データベース）の構成例について説明するための図である。
【図４】ハブ装置の構成例を説明するためのブロック図である。
【図５】親機の構成例を説明するためのブロック図である
【図６】子機の構成例を説明するためのブロック図である。
【図７】ＬＥＤによる同期ずれの報知態様の例を説明するための図である。
【図８】他の例のハブ装置を説明するためのブロック図である。
【図９】ＬＥＤによる同期ずれの報知態様の例を説明するための図である。
【図１０】他の例のハブ装置を説明するためのブロック図である。
【図１１】他の例のハブ装置を説明するためのブロック図である。
【図１２】ＤＥＣＴ規格のフレーム構成を説明するための図である。
【発明を実施するための形態】
【００１８】
以下、図を参照しながら、この発明のシステム、コードレス電話装置、ハブ装置の一実施の形態について説明する。以下に説明する実施の形態においては、例えば企業の事務所などにおいて、いわゆる主装置に対して複数の電話装置を接続して形成されるビジネスホンシステム（ボタン電話システム）に、この発明を適用した場合を例にして説明する。
【００１９】
［電話システムの構成例］
図１は、この実施形態の電話システムの全体の構成例を示すブロック図である。この例の電話システムにおいては、主装置１に対して、ハブ装置２を介して、内線電話装置として、複数のコードレス電話装置３１、３２、・・・、３ｎ（ｎは３以上の整数。以下同じ）が接続されている。主装置１から見ると、ハブ装置２及びコードレス電話装置３１、３２、・・・、３ｎは下位装置になる。また、コードレス電話装置３１、３２、・・・、３ｎから見ると、主装置１とハブ装置２はいずれも上位装置になる。また、ハブ装置２から見ると、主装置１は上位装置になり、コードレス電話装置３１、３２、・・・、３ｎは下位装置になる。
【００２０】
コードレス電話装置３１〜３ｎのそれぞれは、この発明のコードレス電話装置が適用されたものである。コードレス電話装置３１〜３ｎのそれぞれは、親機としてのベースセットＢＳ１、ＢＳ２、・・・、ＢＳｎのそれぞれと、子機としてのハンドセットＨＳ１、ＨＳ２、・・・、ＨＳｎのそれぞれとからなる。親機ＢＳ１〜ＢＳｎのそれぞれと、子機ＨＳ１〜ＨＳｎのそれぞれとは、無線接続される。そして、この実施形態では、コードレス電話装置３１〜３ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行う。
【００２１】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置３１、３２、・・・、３ｎのみではなく、通常のビジネスホンと同様に、デジタルボタン電話端末も接続することも可能である。
【００２２】
主装置１は、後述もするが、ＳＩＰ（Session Initiation Protocol）サーバー機能を備え、ＩＰ（Internet Protocol）網に接続される電話回線と従来からの公衆交換電話網（以下、単に電話網と記載する。）に接続される電話回線とを収容可能である。そして、コードレス電話装置３１〜３ｎのそれぞれの親機ＢＳ１〜ＢＳｎが、ハブ装置２を介して、主装置１に接続されている。主装置１は、複数のコードレス電話装置３１〜３ｎについての呼制御及び回線交換制御、その他のビジネスホンとしての制御を行う。
【００２３】
ハブ装置２は、この発明によるハブ装置が適用されたものである。ハブ装置２は、通信ネットワークの中継装置の１つで、複数の接続ポートを備え、受け取ったデータを各接続ポートに接続された全ての機器には送信せずに、宛先を確認して関係する機器のみに送信する機能を有する。また、ハブ装置２は、基準同期信号ＳＹＮＣ（第１の同期信号）を生成し、自機の接続ポートに接続された複数のコードレス電話装置３１〜３ｎなどの下位装置のそれぞれに供給する機能を備えている。基準同期信号ＳＹＮＣは、この例では、１３０ミリ秒（ｍｓ）周期の信号とされている。
【００２４】
コードレス電話装置３１〜３ｎの親機ＢＳ１〜ＢＳｎのそれぞれは、ハブ装置２からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号（第２の同期信号）を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置３１〜３ｎの全ては、何も問題がなければ、主装置１からの基準同期信号ＳＹＮＣに同期した動作をするようになっている。
【００２５】
親機ＢＳ１〜ＢＳｎのそれぞれは、基準同期信号ＳＹＮＣに基づいて、フレーム同期信号ＦＬを生成する。そして、この実施形態において、親機ＢＳ１〜ＢＳｎのそれぞれは、その生成したフレーム同期信号に基づいて、子機ＨＳ１〜ＨＳｎとの間で、１フレーム期間の複数のスロットの１つ置きのスロットの内の１つを用いて無線通信を行うように制御するものとする。また、この実施形態において、子機ＨＳ１〜ＨＳｎのそれぞれも、親機ＢＳ１〜ＢＳｎとの間で、１フレーム期間の複数のスロットの１つ置きのスロットの内の１つを用いて無線通信を行うものとする。
【００２６】
そして、この実施の形態の電話システムでは、ハブ装置２に接続された親機ＢＳ１〜ＢＳｎのそれぞれは、自機においてハブ装置２からの基準同期信号ＳＹＮＣに基づいて生成したフレーム同期信号ＦＬを、ハブ装置２にフィードバックする。そして、ハブ装置２は、自機で生成する基準同期信号ＳＹＮＣと親機ＢＳ１〜ＢＳｎのそれぞれからのフレーム同期信号ＦＬとを比較し、同期ずれの有無を判別し、この判別結果を報知することができるようにしている。以下、この実施の形態の電話システムを構成する各機器の構成例について説明する。
【００２７】
なお、この実施の形態において、コードレス電話装置３１〜３ｎのそれぞれは、ＩＰ電話機であり、ＳＩＰサーバー機能を有する主装置１などの上位装置に対しては、ＬＡＮで接続される。ＩＰ電話は、インターネットで利用されるパケット通信プロトコルのＩＰ（Internet Protocol）を利用して提供される電話サービスである。そして、ＩＰ電話に対応するＩＰ電話機は、音声をデジタルデータに変換し、パケットと呼ばれる単位に分割した上で、ＬＡＮやＩＰネットワーク（インターネット）を経由して通話の相手先まで音声信号を送ることで音声通話を可能にする。
【００２８】
［主装置１の構成例］
図２は、主装置１の構成例を説明するためのブロック図である。図２に示すように、主装置１は、ＩＰ網への接続ポート１０１と、ＩＰ網インターフェース（以下、ＩＰ網Ｉ／Ｆと略称する。）１０２と、パケット分解／生成部１０３とを備えている。また、主装置１は、電話網インターフェース（以下、電話網Ｉ／Ｆと略称する。）１０４と、電話網への接続ポート１０５と、アドレス管理データベース（以下、アドレス管理ＤＢと略称する。）１０６とを備えている。さらに、主装置１は、ＬＡＮインターフェース（以下、ＬＡＮＩ／Ｆと略称する。）１０７と、ＬＡＮ接続ポート１０８と、制御部１１０とを備えている。
【００２９】
制御部１１０は、この実施の形態の主装置１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたコンピュータ装置部である。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３０】
接続ポート１０１は、ＩＰ網への接続端部を構成するものである。ＩＰ網Ｉ／Ｆ１０２は、ＩＰ網を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網に送出する。
【００３１】
接続ポート１０５は、電話網への接続端部を構成するものである。電話網Ｉ／Ｆ１０４は、電話網を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網に送出する。
【００３２】
接続ポート１０８はＬＡＮへの接続端部を構成するものである。ＬＡＮＩ／Ｆ１０７は、ＬＡＮを通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮに送出する。
【００３３】
パケット分解／生成部１０３は、パケットの分解や生成を行うものであり、主に、電話網に接続された端末装置と主装置１の配下のコードレス電話装置３１〜３ｎなどのＩＰ電話端末との間で通話を行う場合に、送受するデータのパケットの分解や生成を行う。具体的には、ハブ装置２を介して主装置１に接続されたコードレス電話装置３１〜３ｎなどからの電話網に接続された端末装置に送信すべきパケットが、接続ポート１０８、ＬＡＮＩ／Ｆ１０７を通じて制御部１１０に供給される。当該パケットは、制御部１１０からパケット分解／生成部１０３に供給され、ここでパケット分解された後に、電話網Ｉ／Ｆ１０４、接続ポート１０５を通じて電話網に送出され、目的とする相手先に送信される。
【００３４】
また、電話網に接続された端末装置からのハブ装置２を介して主装置１に接続されたコードレス電話装置３１〜３ｎなどへのデータは、接続ポート１０５、電話網Ｉ／Ｆ１０４を通じて制御部１１０に供給される。当該データは、制御部１１０からパケット分解／生成部１０３に供給され、ここで所定の形式のパケットとされた後に、ＬＡＮＩ／Ｆ１０７、接続ポート１０８を通じて、ＬＡＮに送出されて目的とするコードレス電話装置３１〜３ｎなどに送信される。
【００３５】
なお、ＩＰ網に接続された外部の端末装置と、主装置１にハブ装置２を介して接続されるコードレス電話装置３１〜３ｎなどとの間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受される。同様に、主装置１にハブ装置２を介して接続されるコードレス電話装置３１〜３ｎ間においても、パケットが送受されるため、パケット分解／生成部１０３において、パケットの分解や生成は行われることはなく、ＬＡＮＩ／Ｆ１０７を通じてパケットが送受される。
【００３６】
そして、アドレス管理ＤＢ１０６は、レジストラ・サーバ機能を実現するために、ＩＰ網やＬＡＮに接続され、この主装置１を通じて呼び出す可能性のある端末装置についてのアドレス情報を記憶保持するものである。具体的には、主装置１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるＵＲＩ（Uniform Resource Identifier）やＩＰアドレスなどのアドレス情報を抽出する。そして、制御部１１０は、抽出したアドレス情報をアドレス管理ＤＢ１０６に登録したり、抽出したアドレス情報を用いてアドレス管理ＤＢ１０６の登録情報を更新したりする。
【００３７】
このようにして、アドレス管理ＤＢ１０６に登録されて管理される情報が参照され、自機にＬＡＮを通じて接続されるコードレス電話装置３１〜３ｎなどから要求のあった通信先を確実に特定する。そして、その特定した相手先に送信すべき情報（パケットデータ）を転送するようにするプロキシ・サーバとしての機能を主装置１が実現する。また、アドレス管理ＤＢ１０６に登録されて管理される情報は、自機にＬＡＮを通じて接続されるコードレス電話装置３１〜３ｎなどへの着信の判別などにも用いられる。
【００３８】
図３は、アドレス管理ＤＢ１０６に形成される管理情報（データベース）の構成例について説明するための図である。主装置１のアドレス管理ＤＢ１０６は、ＩＰ網に接続された他のＩＰ電話システムの端末装置のアドレス情報の他、当該主装置１にＬＡＮ接続されたコードレス電話装置３１〜３ｎなどについてのアドレス情報をも管理する。
【００３９】
基本的に主装置１のアドレス管理ＤＢ１０６に形成される管理情報は、上述もしたように、ＩＰ網に接続された端末装置から送信されてくるＵＲＩ（ＳＩＰ  ＵＲＩ）と、ＩＰアドレスである。そして、この実施の形態の主装置１のアドレス管理ＤＢ１０６では、図３に示したように、主装置１にＬＡＮ接続されたコードレス電話装置３１〜３ｎについては、ＵＲＩとＩＰアドレスの他、ＭＡＣ（Media Access Control）アドレスと内線番号についても管理する。
【００４０】
そして、この実施の形態の電話システムのコードレス電話装置３１〜３ｎからＩＰ網に接続された外部の端末装置に対する発信要求（発呼要求）を主装置１が受け付けたとする。この場合、主装置１の制御部１１０は、自己のアドレス管理ＤＢ１０６の管理情報に基づいて、目的とする相手先の端末装置を特定し、この特定した端末装置に対して、メッセージの転送を行う。また、ＩＰ網や電話網を通じて、ＬＡＮに接続されているコードレス電話装置等に対する着信要求（外線着信）を主装置１が受け付けたとする。この場合、主装置１の制御部１１０は、送信されてきたメッセージを受け付けて、これを自システム内に送出する。
【００４１】
このように、この実施の形態の主装置１は、パケット分解／生成部１０３やアドレス管理ＤＢ１０６を備え、主装置１が接続される種々のネットワークに接続される端末装置間のメッセージの中継を行うことができる。したがって、この実施の形態の主装置１は、外線−内線間の接続や内線間の接続を行ったり、通信回線の使用状況を配下のコードレス電話装置等に通知したりすることができるものである。
【００４２】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮを通じて接続されるコードレス電話装置３１〜３ｎ毎に供給すべきＬＥＤ等の点灯、消灯などを制御するための制御情報を形成する。当該制御情報は、ＬＡＮＩ／Ｆ１０７、接続ポート１０８を通じてＬＡＮに送出され、ハブ装置２を介してコードレス電話装置３１〜３ｎなどに送信される。
【００４３】
［ハブ装置２の構成］
図４は、ハブ装置２の構成例を説明するためのブロック図である。図４に示すように、ハブ装置２は、ＬＡＮＩ／Ｆ２１と、切替制御部２２と、複数のＬＡＮＩ／Ｆ２３（１）〜２３（ｎ）とを備える。なお、ＬＡＮＩ／Ｆ２３（ｎ）のように、添字として用いている文字ｎは、１以上の整数を意味するが、例えば、図４においては、ＬＡＮＩ／Ｆ２３（１）、２３（２）が存在しているので、図４における添え字ｎは、３以上の整数となる。添え字ｎは、以下同様に使用している。
【００４４】
ＬＡＮＩ／Ｆ２１は、自機よりも上位の装置との間でデータを送受するためのインターフェースである。切替制御部２２は、受信データの送信先を確認し、目的とする送信先に対してだけ当該受信データ送信する機能を実現する。切替制御部２２は、図示しないメモリにおいて、接続ポートごとに、接続されている機器のＭＡＣアドレスやＩＰアドレス管理し、どの接続ポートにどの機器が接続されているのかを適切に管理している。
【００４５】
複数のＬＡＮＩ／Ｆ２３（１）〜２３（ｎ）のそれぞれは、自機よりも下位の装置との間でデータを送受するためのインターフェースである。そして、下位側の複数のＬＡＮＩ／Ｆ２３（１）〜２３（ｎ）のそれぞれは、少なくとも音声信号や呼制御信号などがパケット化されたパケットデータＤｔの伝送に用いられるデータラインと、基準同期信号ＳＹＮＣの伝送に用いられる基準同期信号ラインと、フレーム同期信号ＦＬの伝送に用いられるフレーム同期信号ラインを備え、これらの接続を可能にするものである。
【００４６】
なお、図４において、ＬＡＮＩ／Ｆ２１側の接続ポートと、ＬＡＮＩ／Ｆ２３（１）〜２３（ｎ）側の接続ポートの図示は省略しているが、当該接続ポートにＬＡＮケーブルを接続することにより、それらの複数の信号ラインを同時にＬＡＮＩ／Ｆ２１、ＬＡＮＩ／Ｆ２３（１）〜２３（ｎ）に接続可能になっている。
【００４７】
また、ハブ装置２は、基準信号を発振する発振器２４と、発振器２４からの基準信号に基づいて、１３０ｍｓの基準同期信号ＳＹＮＣを生成する同期信号生成回路とを備えている。更に、ハブ装置２は、各ＬＡＮＩ／Ｆ２３（１）〜２３（ｎ）に対応して、比較部２６（１）〜２６（ｎ）、ＬＥＤ（Light Emitting Diode）ドライバ２７（１）〜２７（ｎ）、少なくとも２色のＬＥＤを備えたＬＥＤ部２８（１）〜２８（ｎ）を備えている。この実施の形態のＬＥＤ部２８（１）〜２８（ｎ）のそれぞれは、例えば発光色が緑色の緑色ＬＥＤと発光色が赤色の赤色ＬＥＤとを備えているものとする。
【００４８】
比較部２６（１）〜２６（ｎ）のそれぞれは、同期信号生成回路２５からの基準同期信号ＳＹＮＣと、対応するＬＡＮＩ／Ｆ２３（１）〜２３（ｎ）を通じて受信するコードレス電話装置３１〜３ｎなどの下位装置からのフレーム同期信号との供給を受ける。そして、比較部２６（１）〜２６（ｎ）のそれぞれは、両信号の位相を比較し、同期ずれが発生しているか否かを検出し、この検出結果を、対応するＬＥＤドライバ２７（１）〜２７（ｎ）に供給する。
【００４９】
この実施の形態の比較部２６（１）〜２６（ｎ）のそれぞれは、位相差が基準範囲内であれば、同期ずれは発生していないことを検出し、位相差が基準範囲外の場合に同期ずれが発生していることを検出する。この実施の形態において、基準同期信号ＳＹＮＣは１３０ｍｓ周期の信号であり、フレーム同期信号ＦＬは１０ｍｓ周期の信号である。このため、比較に当たっては、基準同期信号ＳＹＮＣの例えば立ち上がりと、直近の（すぐ近くにある）フレーム同期信号ＦＬの立ち上がりとの位相差を求める。すなわち、基準同期信号ＳＹＮＣに対して、フレーム同期信号ＦＬが、どれだけ進んでいるか、あるいは、遅れているかを検出する。
【００５０】
また、別の方法として、例えば、基準同期信号ＳＹＮＣの例えば立ち上がりの直近のフレーム同期信号ＦＬの立ち上がりから、１３周期ごとのタイミングで位相比較を行うようにしてもよい。また、比較部２６（１）〜２６（ｎ）のそれぞれのそれぞれにおいて、基準同期信号ＳＹＮＣを１３分の１に分周し、この分周した結果の信号とフレーム同期信号ＦＬとの位相差を求めるようにしてもよい。
【００５１】
ＬＥＤドライバ２７（１）〜２７（ｎ）のそれぞれは、対応する比較部２６（１）〜２６（ｎ）からの検出結果が同期ずれなしの場合には、緑色ＬＥＤに対してドライブ信号を供給、赤色ＬＥＤにはドライブ信号を供給しないようにする。これにより、同期ずれなしの場合には、緑色ＬＥＤのみを発光させることができる。逆に、対応する比較部２６（１）〜２６（ｎ）からの検出結果が、同期ずれありの場合には、ＬＥＤドライバ２７（１）〜２７（ｎ）のそれぞれは、赤色ＬＥＤに対してドライブ信号を供給し、緑色ＬＥＤにはドライブ信号を供給しないようにする。これにより、同期ずれありの場合には、赤色ＬＥＤのみを発光させることができる。
【００５２】
なお、ＬＡＮＩ／Ｆ２３（１）〜２３（ｎ）の中に機器が接続されていないものがある場合には、そのＬＡＮＩ／Ｆに対しては、接続機器からのフレーム同期信号ＦＬが供給されないので、対応する比較部２６（１）〜２６（ｎ）において比較処理は行われない。このため、対応するＬＥＤ部２８（１）〜２８（ｎ）のＬＥＤが発光することはない。
【００５３】
このように、ハブ装置２は、自機で生成する基準同期信号ＳＹＮＣと、後述するコードレス電話装置３１〜３ｎの親機ＢＳ１〜ＢＳｎからのフレーム同期信号ＦＬとを比較し、同期ずれの発生の有無をＬＥＤの発光色により報知することができるものである。
【００５４】
［コードレス電話装置３１の親機ＢＳ１の構成例］
次に、コードレス電話装置３１〜３ｎの親機ＢＳ１〜ＢＳｎの構成例について説明する。この実施の形態において、コードレス電話装置３１〜３ｎの親機ＢＳ１〜ＢＳｎは同様に構成されるものである。このため、以下においては、親機ＢＳ１〜ＢＳｎの構成例として、コードレス電話装置３１の親機ＢＳ１の構成例について説明することとする。
【００５５】
図５は、親機ＢＳ１の構成例を説明するためのブロック図である。図５に示すように、親機ＢＳ１は、親機ＢＳ１の全体を制御するための制御回路４１と、回線ＬＳＩ部４２と、同期信号発生回路４３と、無線通信回路４４と、発振器４５及び４６と、ＬＡＮＩ／Ｆ４７とを備えて構成されている。
【００５６】
ＬＡＮＩ／Ｆ４７は、自機よりも上位の装置との間で信号を送受するためのインターフェースである。ＬＡＮＩ／Ｆ４７は、少なくとも音声信号や呼制御信号などのパケットデータＤｔの伝送に用いられるデータラインと、基準同期信号ＳＹＮＣの伝送に用いられる基準同期信号ラインと、フレーム同期信号ＦＬの伝送に用いられるフレーム同期信号ラインを備え、これらの接続を可能にするものである。なお、図５においては、ＬＡＮＩ／Ｆ４７が接続される接続ポートの図示は省略している。
【００５７】
制御回路４１は、コンピュータ装置を搭載して構成されている。そして、制御回路４１は、この親機ＢＳ１における呼制御などの制御を行う機能を備える。回線ＬＳＩ部４２は、主装置１との間で音声信号及び制御信号のやり取りをするための回路であり、パケット分解／生成部４２１と、制御信号処理部４２２と、音声信号処理部４２３と、ＰＬＬ（Phase locked Loop）部４２４とからなる。
【００５８】
ＰＬＬ部４２４には、発振器４５からの基準周波数の発振信号が供給されると共に、主装置１からの基準同期信号ＳＹＮＣが供給される。この例では、発振器４５の発振信号の周波数は、例えば２０４８ＭＨｚ（０．４８８ナノ秒（ｎｓ））とされている。ＰＬＬ部４２４は、主装置１からの基準同期信号ＳＹＮＣと発振器４５からの発振信号とを位相比較して、その比較結果に基づいて、発振器４５の発振信号から、基準同期信号ＳＹＮＣに同期する親機ＢＳ１のシステムクロック信号ＳＣＫを生成する。
【００５９】
そして、ＰＬＬ部４２４は、生成したシステムクロック信号ＳＣＫをパケット分解／生成部４２１、制御信号処理部４２２、音声信号処理部４２３のそれぞれに、信号処理用クロック信号として供給すると共に、同期信号発生回路４３に供給する。
【００６０】
パケット分解／生成部４２１は、ハブ装置２からの音声信号や制御信号がパケット化されたパケットデータＤｔを伝送するデータラインが接続されると共に、制御信号処理部４２２、音声信号処理部４２３に接続される。そして、パケット分解／生成部４２１は、主装置１からのパケットデータＤｔを分解し、制御信号と音声信号とを抽出して、制御信号は制御信号処理部４２２に、音声信号は音声信号処理部４２３に、それぞれ供給する。また、パケット分解／生成部４２１は、制御信号処理部４２２からの制御信号と、音声信号処理部４２３からの音声信号とをパケット化してパケットデータを生成し、その生成したパケットデータを主装置１に供給するようにする。
【００６１】
制御信号処理部４２２は、制御回路４１の制御信号入出力端に接続されると共に、パケット分解／生成部４２１に接続されており、発信時及び着信時、また、終話時などにおける呼制御信号などの制御信号（主装置１からコードレス電話装置３１への制御信号と、コードレス電話装置３１から主装置１への制御信号の両方）の処理回路である。
【００６２】
音声信号処理部４２３は、無線通信回路４４に接続されると共に、パケット分解／生成部４２１に接続されており、無線通信回路４４からの子機ＨＳ１から受信した送話音声信号及びパケット分解／生成部４２１からの受話音声信号の処理回路である。
【００６３】
同期信号発生回路４３は、カウンタ４３１と、同期信号生成部４３２とからなる。カウンタ４３１には、ハブ装置２からの１３０ｍｓの周期の基準同期信号ＳＹＮＣがプリセット端子に供給されると共に、ＰＬＬ部４２４からのシステムクロック信号ＳＣＫがカウント入力として供給される。そして、このカウンタ４３１の出力カウント値ＣＮＴが同期信号生成部４３２に供給される。
【００６４】
同期信号生成部４３２は、カウンタ４３１の出力カウント値ＣＮＴから、ＤＥＣＴ規格のフレーム周期（１０ｍｓ）のフレーム同期信号ＦＬを発生する。同期信号発生回路４３は、同期信号生成部４３２で生成したフレーム同期信号ＦＬを無線通信回路４４に供給する。同時に当該フレーム同期信号ＦＬは、ＬＡＮＩ／Ｆ４７のフレーム同期信号ラインを通じて、ハブ装置２のフィードバックされるようになっている。
【００６５】
次に、無線通信回路４４について説明する。この実施形態では、無線通信回路４４は、ＤＥＣＴ規格の無線通信を行うための汎用の親機用無線通信ＬＳＩを用いている。この無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００６６】
制御部４４１は、ＴＤＭＡ変復調部４４２及び無線通信部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００６７】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００６８】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００６９】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００７０】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００７１】
ＴＤＭＡ変復調部４４２は、フレーム同期信号ＦＬに同期するタイミング信号及びクロック信号を用いて、割り当て使用可能となるダウンリンクでのスロットの一つに相当する期間で子機ＨＳ１への送信信号を生成すると共に、アップリンクでのスロットの一つを用いて、子機ＨＳ１からの受信信号の処理を行うようにする。
【００７２】
なお、親機ＢＳ１は、ハブ装置２に接続され、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自機に設定された一つのスロットを用いて、無線通信部４４３を通じて子機ＨＳ１に送り、当該子機ＨＳ１から応答が返って来た時に、送信信号を送信するために用いたスロットをダウンリンク用とし、子機ＨＳ１からの応答を受信したスロットをアップリンク用として同期を確立して、送受信を行うように制御するものである。すなわち、親機ＢＳ１と子機ＨＳ１との間では、特定されたスロットを用いて無線通信が行われる。
【００７３】
［コードレス電話装置３１の子機ＨＳ１の構成例］
次に、コードレス電話装置３１〜３ｎの子機ＨＳ１〜ＨＳｎの構成例について説明する。この実施の形態において、コードレス電話装置３１〜３ｎの子機ＨＳ１〜ＨＳｎは同様に構成されるものである。このため、以下においては、子機ＨＳ１〜ＨＳｎの構成例として、コードレス電話装置３１の子機ＨＳ１の構成例について説明することとする。
【００７４】
［子機の構成例］
図６は、子機ＨＳ１の構成例を説明するためのブロック図である。この図６に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００７５】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００７６】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００７７】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００７８】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７９】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００８０】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００８１】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００８２】
［ハブ装置２と親機ＢＳ１〜ＢＳｎとが協働して行う同期に関する報知］
上述した構成を有する各機器によって構成されるこの実施の形態の電話システムにおいては、ハブ装置２とコードレス電話装置３１〜３ｎの親機ＢＳ１〜ＢＳｎとが協働することによって、同期ずれが生じている機器間を報知できる。このことは、ハブ装置２に接続されている各コードレス電話装置間で同期が合っているか否かの報知と等価となる。
【００８３】
すなわち、上述したように、ハブ装置２と親機ＢＳ１〜ＢＳｎとは、少なくとも、データラインと、基準同期信号ラインと、フレーム同期信号ラインとを含むＬＡＮケーブルによって接続される。データラインは、音声信号や制御信号がパケット化されて形成されたパケットデータ（メインデータ）Ｄｔを双方向に伝送する。基準同期信号ラインは、ハブ装置２で生成された基準同期信号ＳＹＮＣをハブ装置２から親機ＢＳ１〜ＢＳｎのそれぞれに伝送する。フレーム同期信号ラインは、親機ＢＳ１〜ＢＳｎのそれぞれにおいて、ハブ装置２からの基準同期信号ＳＹＮＣを用いて生成されるフレーム同期信号を親機ＢＳ１〜ＢＳｎのそれぞれからハブ装置２に伝送する。
【００８４】
そして、ハブ装置２は、図４を用いて説明したように、ＬＡＮＩ／Ｆ２３（１）〜２３（ｎ）のそれぞれに対応して比較部２６（１）〜２６（ｎ）を備えている。比較部２６（１）〜２６（ｎ）は、基準同期信号ＳＹＮＣと、対応する親機ＢＳ１〜ＢＳｎからのフレーム同期信号ＦＬとを比較し、この比較の結果により判別される同期ずれの有無を、ＬＥＤ２８（１）〜２８（ｎ）の発光により報知する。
【００８５】
図７は、ＬＥＤによる同期ずれの報知態様の例を説明するための図である。図７において、接続ポートＰＴ（１）〜ＰＴ（ｎ）は、ＬＡＮケーブルの接続端を構成するものであり、対応するＬＡＮＩ／Ｆ２３（１）〜２３（ｎ）に接続される。そして、親機ＢＳ１とハブ装置２の接続ポートＰＴ（１）とを接続するＬＡＮケーブルＬＣ（１）は、正常なものである。また、親機ＢＳ２とハブ装置２の接続ポートＰＴ（２）とを接続するＬＡＮケーブルＬＣ（２）は、正常なものである。しかし、親機ＢＳｎとハブ装置２の接続ポートＰＴ（ｎ）とを接続するＬＡＮケーブルＬＣ（ｎ）は、その内部において、基準同期信号ＳＹＮＣを伝送する基準同期信号ラインが断線しており、基準同期信号ＳＹＮＣをハブ装置２から親機ＢＳｎに伝送できなくなっていたとする。
【００８６】
この場合、親機ＢＳ１、ＢＳ２においては、ハブ装置２からの基準同期信号ＳＹＮＣに基づき、適切にフレーム同期信号ＦＬを生成し、これをハブ装置２にフィードバックしてくる。しかし、親機ＢＳｎには、ハブ装置２からの基準同期信号ＳＹＮＣが供給されないので、基準同期信号ＳＹＮＣに同期しないフレーム同期信号ＦＬが形成され、これがハブ装置２に伝送されて来る。
【００８７】
この場合、親機ＢＳ１からのＬＡＮケーブルＬＣ（１）が接続された接続ポートＰＴ（１）に対応する比較部２６（１）では、基準同期信号ＳＹＮＣと親機ＢＳ１からのフレーム同期信号ＦＬとを比較すると同期が合っていることが判別できる。この場合、比較部２６（１）の判別結果に基づいて、ＬＥＤドライバ２７（１）は、ＬＥＤ部２８（１）の緑色ＬＥＤに駆動電流を供給し、赤色ＬＥＤには駆動電流を供給しない。これにより、ＬＥＤ部２８（１）の緑色のＬＥＤが点灯し、赤色のＬＥＤが消灯した状態となり、基準同期信号ＳＹＮＣと親機ＢＳ１で形成されるフレーム同期信号とは同期が合っていることが報知される。つまり、ハブ装置２と親機ＢＳ１との間の同期は合っていることが報知される。
【００８８】
同様に、親機ＢＳ２からのＬＡＮケーブルＬＣ（２）が接続された接続ポートＰＴ（２）に対応する比較部２６（１）では、基準同期信号ＳＹＮＣと親機ＢＳ２からのフレーム同期信号ＦＬとを比較すると同期が合っていることが判別できる。この場合、比較部２６（２）の判別結果に基づいて、ＬＥＤドライバ２７（２）は、ＬＥＤ部２８（２）の緑色ＬＥＤに駆動電流を供給し、赤色ＬＥＤには駆動電流を供給しない。これにより、ＬＥＤ部２８（２）の緑色ＬＥＤが点灯し、赤色ＬＥＤが消灯した状態となり、基準同期信号ＳＹＮＣと親機ＢＳ２で形成されるフレーム同期信号とは同期が合っていることが報知される。つまり、ハブ装置２と親機ＢＳ２との間の同期は合っていることが報知される。
【００８９】
これに対して、親機ＢＳｎからのＬＡＮケーブルＬＣ（ｎ）が接続された接続ポートＰＴ（ｎ）に対応する比較部２６（ｎ）では、基準同期信号ＳＹＮＣと親機ＢＳ２からのフレーム同期信号ＦＬとを比較すると、同期が合っていないことが判別できる。ハブ装置２からの基準同期信号ＳＹＮＣが親機ＢＳｎに供給されていないためである。この場合、比較部２６（ｎ）の判別結果に基づいて、ＬＥＤドライバ２７（ｎ）は、ＬＥＤ部２８（２ｎ）の緑色ＬＥＤに駆動電流を供給しないが、赤色ＬＥＤには駆動電流を供給する。これにより、ＬＥＤ部２８（２）の緑色のＬＥＤが消灯し、赤色のＬＥＤが点灯した状態となり、ハブ装置２で形成される基準同期信号ＳＹＮＣと親機ＢＳ２で形成されるフレーム同期信号ＦＬとの同期ずれが発生していることが報知される。つまり、ハブ装置２と親機ＢＳｎとの間の同期はずれていることが報知される。
【００９０】
図７に示した状態の場合、ハブ装置２で生成された基準同期信号ＳＹＮＣと、親機ＢＳ１、ＢＳ２のそれぞれで生成されたフレーム同期信号ＦＬとの同期が合っているので、親機ＢＳ１と親機ＢＳ２との間の同期が合っていることが把握できる。そして、親機ＢＳｎは、同期が合っている親機ＢＳ１、ＢＳ２とは同期が合っていない（同期ずれが発生している）ことが把握できる。
【００９１】
この場合、ハブ装置２と親機ＢＳｎとを接続するＬＡＮケーブルＬＣ（ｎ）を正常なものに交換することで、同期ずれを解消できる。また、規定以上に長いＬＡＮケーブルを用いたり、規格外のＬＡＮケーブルを用いたりしているために、基準同期信号ＳＹＮＣとフレーム同期信号ＦＬとが同期ずれを生じさせている場合もあるが、このような場合にも、接続に用いるＬＡＮケーブルを適切なものに変えるだけで、同期ずれを解消することができる。このように、同期ずれが発生している箇所を的確に特定できるので、その箇所に対して適切な対応を取ることで、同期ずれの早期解消を実現できる。
【００９２】
［ハブ装置の他の例（１）］
ところで、ビジネスホンシステムを構築する場所の面積が広かったり、複数階に渡っていたりする場合、１台のハブ装置２だけでは十分な台数のコードレス電話装置を主装置１に接続できない場合がある。このような場合には、ハブ装置２に対して下位装置として別のハブ装置を接続することが考えられる。しかし、図４を用いて説明したハブ装置２の場合、基準同期信号ＳＹＮＣを上位装置に伝送する経路を備えないために、ハブ装置間の同期ずれの発生を検知できない。
【００９３】
そこで、以下に説明するハブ装置の他の例のハブ装置２Ａは、上位装置からの基準同期信号ＳＹＮＣ（上位）の提供を受けて、これに同期するように自機で基準同期信号ＳＹＮＣ（下位）を生成することができるものである。更に、ハブ装置２Ａは、自機において生成した基準同期信号ＳＹＮＣ（下位）を上位装置に伝送することができるものである。
【００９４】
図８は、ハブ装置２Ａを説明するためのブロック図である。図８に示すハブ装置２Ａにおいて、図４を用いて説明したハブ装置２と同様に構成される部分には同じ参照符号を付し、それらの部分についての詳細な説明は重複するので省略する。そして、図８のハブ装置２Ａと図４のハブ装置２とを比較すると分かるように、上位装置側のＬＡＮＩ／Ｆ２１Ａと同期信号生成回路２５Ａの構成が、図４に示したハブ装置２とは異なっている。
【００９５】
すなわち、ハブ装置２ＡのＬＡＮＩ／Ｆ２１Ａは、データラインと、上位装置からの基準同期信号ＳＹＮＣ（上位）が伝送される基準同期信号上位ラインと、自機からの基準同期信号ＳＹＮＣ（下位）が伝送される基準同期信号下位ラインとを備えたものである。そして、同期信号生成回路２５Ａは、ＬＡＮＩ／Ｆ２１Ａを通じて受け付けた上位装置から基準同期信号ＳＹＮＣ（上位）と発振器２４からの基準信号との供給を受けて、上位装置からの基準同期信号ＳＹＮＣ（上位）に同期する１３０ｍｓ周期の基準同期信号ＳＹＮＣを生成して出力する。
【００９６】
同期信号生成回路２５Ａから出力された基準同期信号ＳＹＮＣは、図４を用いて説明したハブ装置２の場合と同様に、下位装置側のＬＡＮＩ／Ｆ２３（１）〜２３（ｎ）及びＬＡＮケーブルの基準信号ラインを通じて、コードレス電話装置３１〜３ｎなどの下位装置に提供される。更に、同期信号生成回路２５Ａから出力された基準同期信号ＳＹＮＣは、図８に示すように、上位装置側のＬＡＮＩ／Ｆ２１Ａ及びＬＡＮケーブルの基準同期信号下位ラインを通じて、上位に位置するハブ装置２、または、他のハブ装置２Ａに提供される。すなわち、この例の場合、ハブ装置２Ａの上位にハブ装置２や他のハブ装置２Ａが存在する。
【００９７】
そして、上位に位置するハブ装置２（図４）や他のハブ装置２Ａ（図８）は、下位装置が接続されるＬＡＮＩ／Ｆ２３（１）〜２３（ｎ）に対応して比較部２６（１）〜２６（ｎ）が設けられている。比較部２６（１）〜２６（ｎ）には、自機の同期信号生成回路２５、２５Ａで生成した基準同期信号ＳＹＮＣが供給されると共に、下位装置からのフレーム同期信号ＦＬ、あるいは、基準同期信号ＳＹＮＣ（下位）が供給されて、位相比較が行われる。
【００９８】
すなわち、ＬＡＮＩ／Ｆ２３（１）〜２３（ｎ）に接続される下位装置が、コードレス電話装置３１〜３ｎの親機ＢＳ１〜ＢＳｎである場合には、比較部２６（１）〜２６（ｎ）には、親機ＢＳ１〜ＢＳｎで生成されたフレーム同期信号ＦＬが供給される。一方、ＬＡＮＩ／Ｆ２３（１）〜２３（ｎ）に接続される下位装置が、ハブ装置２Ａである場合には、比較部２６（１）〜２６（ｎ）には、ハブ装置２Ａで生成された基準同期信号ＳＹＮＣ（下位）が供給される。
【００９９】
比較部２６（１）〜２６（ｎ）のそれぞれは、通常は、１３０ｍｓ周期の基準同期信号と１０ｍｓ周期のフレーム同期信号との位相比較を行う。このため、上述したように、比較に当たっては、基準同期信号ＳＹＮＣの例えば立ち上がりと、直近のフレーム同期信号ＦＬの立ち上がりとの位相差を求める。しかし、下位にハブ装置２Ａが存在する場合には、比較部２６（１）〜２６（ｎ）のそれぞれは、下位装置から１０ｍｓ周期のフレーム同期信号と１３０ｍｓの基準同期信号ＳＹＮＣ（下位）とのうちのいずれかが供給される。
【０１００】
しかし、基準同期信号ＳＹＮＣを１３分の１に分周すればフレーム同期信号ＦＬが形成でき、フレーム同期信号ＦＬを１３逓倍すれば基準同期信号ＳＹＮＣが形成できる。すなわち、基準同期信号ＳＹＮＣとフレーム同期信号ＦＬとは分周／逓倍関係にあり、周期は異なっていても、本来、同期は合っているものである。
【０１０１】
そこで。比較部２６（１）〜２６（ｎ）のそれぞれは、下位装置からの信号が、親機ＢＳ１〜ＢＳｎからのフレーム同期信号ＦＬであっても、ハブ装置２Ａからの基準同期信号ＳＹＮＣ（下位）であっても、比較に当たっては、例えば、基準同期信号ＳＹＮＣの例えば立ち上がりと、直近のフレーム同期信号ＦＬの立ち上がりとの位相差を求めることにより、同期ずれの検出を行うことができる。これにより、位相差が所定範囲内であれば同期ずれは発生しておらず、また、位相差が所定範囲外であれば同期ずれが発生していると検知できる。
【０１０２】
そして、上述したように、ハブ装置２（上位装置）に対して、ハブ装置２Ａ（下位装置）が接続されている場合、ハブ装置２Ａで生成される基準同期信号ＳＹＮＣは、ハブ装置２からの基準同期信号ＳＹＮＣ（上位）が用いられて生成される。このため、通常は、上位装置であるハブ装置２の基準同期信号ＳＹＮＣ（上位）と、下位装置であるハブ装置２Ａの基準同期信号ＳＹＮＣ（下位）との同期は合っているはずである。
【０１０３】
しかし、ＬＡＮケーブルの基準同期信号上位ラインの断線等により、上位装置であるハブ装置２からの基準同期信号ＳＹＮＣ（上位）が、下位装置であるハブ装置２Ａに適切に提供されない場合には、両者の間に同期ずれが発生する。この場合においても、このハブ装置２Ａを下位装置として用いることにより、上位装置であるハブ装置２においては、比較部２６（１）〜２６（ｎ）、ＬＥＤドライバ２７（１）〜２７（ｎ）、ＬＥＤ部２８（１）〜２８（ｎ）の機能により、自機（ハブ装置２）と下位装置であるハブ装置２Ａとの間の同期ずれも検知して報知できる。
【０１０４】
［ハブ装置２の下位にハブ装置２Ａが存在する場合の同期に関する報知］
図９は、ハブ装置２の下位にハブ装置２Ａが存在する電話システムにおける、ＬＥＤによる同期ずれの報知態様の例を説明するための図である。図９に示すように主装置１に対しては、ハブ装置２が接続され、このハブ装置２の下位装置としてコードレス電話装置の親機ＢＳ１、ＢＳ２、…と、ハブ装置２Ａ（１）が接続されている。ハブ装置２Ａ（１）には、親機ＢＳ１１、ＢＳ１２、…と、ハブ装置２Ａ（２）が接続されている。ハブ装置２Ａ（２）には、親機ＢＳ２１〜ＢＳ２ｎが接続されている。
【０１０５】
親機ＢＳ１、ＢＳ２、…と、親機ＢＳ１１、ＢＳ１２、…と、親機ＢＳ２１〜ＢＳ２ｎとのそれぞれは、図５に示した構成を有するものである。また、ハブ装置２Ａ（１）、２Ａ（２）のそれぞれは、図８に示した構成を有するものである。また、ハブ装置２、ハブ装置２Ａ（１）、２Ａ（２）のそれぞれにおいて、接続ポートＰＴ（１）〜ＰＴ（ｎ）は、ＬＡＮケーブルの接続端を構成するものであり、対応するＬＡＮＩ／Ｆ２３（１）〜２３（ｎ）に接続される。なお、図９においては、ＬＡＮＩ／Ｆ２３（１）〜２３（ｎ）などの図示は省略している。
【０１０６】
そして、図９に示すように、ハブ装置２とハブ装置２Ａ（１）との間を接続するＬＡＮケーブルＬＣＡの基準同期信号上位ラインに断線が生じており、ハブ装置２からの基準同期信号ＳＹＮＣ（上位）がハブ装置２Ａ（１）に供給されない状況になっているとする。同様に、ハブ装置２Ａ（２）と親機ＢＳ２２とのとの間を接続するＬＡＮケーブルＬＣＢの基準同期信号ラインに断線が生じており、ハブ装置２Ａ（１）からの基準同期信号ＳＹＮＣが親機ＢＳ２２に供給されない状況になっているとする。これら以外の接続は、全て適切になされているものとすする。
【０１０７】
この場合、主装置１の直下に位置するハブ装置２のＬＥＤ部２８（ｎ）は、比較部２６（ｎ）、ＬＥＤドライバ２７（ｎ）の機能により、緑色ＬＥＤが消灯し、赤色ＬＥＤが点灯した状態になる。これにより、ハブ装置２とハブ装置２Ａ（１）との間で同期ずれが発生していることが報知される。また、ハブ装置の中では最下位に位置するハブ装置２Ａ（２）のＬＥＤ部２８（２）は、ハブ装置２Ａ（２）の比較部２６（２）、ＬＥＤドライバ２７（２）の機能により、緑色ＬＥＤが消灯し、赤色ＬＥＤが点灯した状態になる。これにより、ハブ装置２Ａ（２）と親機ＢＳ２２との間で同期ずれが発生していることが報知される。その他のＬＥＤ部は、全て緑色ＬＥＤが点灯し、赤色ＬＥＤが消灯している状態にあるので、それらに対応する接続ポートを通じて接続されている機器間では、同期ずれは発生していないことになる。
【０１０８】
しかし、実際には、ハブ装置２とハブ装置２Ａ（１）の間で同期ずれが発生しているので、ハブ装置２に接続された親機ＢＳ１、ＢＳ２、…と、ハブ装置２Ａ（１）、ハブ装置２Ａ（２）に接続されている親機ＢＳ１１、ＢＳ１２、…、ＢＳ２１、ＢＳ２２、…との間において同期ずれが生じていることになる。しかし、同期ずれが発生している機器を報知するのではなく、どの機器間で同期ずれが発生しているのかを報知できるので、その機器間について、ＬＡＮケーブルを適切なものに替えるなどの同期ずれを解消するための適切な処置を施すことにより、電話システム全体の同期を合わせることができる。
【０１０９】
したがって、ハブ装置２や複数のハブ装置２Ａを用いて、大規模なビジネスホンシステムを構成した場合にも、それらハブ装置２、２Ａにおける、ＬＥＤ部２８（１）〜２８（ｎ）の発光状態に基づいて、同期ずれが生じている機器間を確実に特定できる。そして、ＬＡＮケーブルの交換など、適切な対応を迅速に施し、コードレス電話装置などの主装置１に収容された電話端末の全てを適切に使用できる状態にすることができる。
【０１１０】
［ハブ装置の他の例（２）］
ところで、同期ずれの原因が機器間を接続するＬＡＮケーブルではない場合もある。例えば、親機ＢＳ１〜ＢＳｎやハブ装置２、２Ａで、システムクロックを生成するための基準信号を発生される発振器の精度が悪かったり、当該発振器が周囲の温度変化により誤差を含むようになったりすることによって、同期ずれが発生する場合もある。この場合には、ＬＡＮケーブを変えるなどの対応では、同期ずれを解消することはできない。
【０１１１】
そこで、以下に説明するハブ装置の他の例であるハブ装置２Ｂは、下位装置に提供する基準同期信号ＳＹＮＣを、検出した同期ずれのずれ量に応じて補正した後に下位装置に提供できるようにしたものである。
【０１１２】
図１０は、ハブ装置２Ｂを説明するためのブロック図である。図１０に示すハブ装置２Ｂにおいて、図４を用いて説明したハブ装置２と同様に構成される部分には同じ参照符号を付し、それらの部分についての詳細な説明は重複するので省略する。そして、図１０のハブ装置２Ｂと図４のハブ装置２とを比較すると分かるように、ＬＡＮＩ／Ｆ２３（１）〜２３（ｎ）のそれぞれと、同期信号生成回路２５との間に、補正部２９（１）〜２９（ｎ）を設けている点が異なっている。また、ＬＡＮＩ／Ｆ２３（１）〜２３（ｎ）のそれぞれに対応して設けられている比較部２６Ａ（１）〜２６Ａ（ｎ）のそれぞれが、検出した同期ずれに応じた通知情報を対応する補正部２９（１）〜２９（ｎ）に供給する点が異なっている。
【０１１３】
すなわち、比較部２６Ａ（１）〜２６Ａ（ｎ）のそれぞれは、図４に示したハブ装置２の比較部２６（１）〜２６（ｎ）と同様の機能を有する。比較部２６Ａ（１）〜２６Ａ（ｎ）のそれぞれは、同期信号生成回路２５からの基準同期信号ＳＹＮＣと、対応するＬＡＮＩ／Ｆ２３（１）〜２３（ｎ）を通じて受信するコードレス電話装置３１〜３ｎなどの下位装置からのフレーム同期信号との供給を受ける。そして、比較部２６Ａ（１）〜２６Ａ（ｎ）のそれぞれは、両信号の位相を比較し、同期ずれが発生しているか否かを検出し、この検出結果を、対応するＬＥＤドライバ２７（１）〜２７（ｎ）に供給する。
【０１１４】
さらに、比較部２６Ａ（１）〜２６Ａ（ｎ）のそれぞれは、検出した両同期信号のずれ量を示す通知情報を、対応する補正部２９（１）〜２９（ｎ）に通知する。例えば、基準同期信号ＳＹＮＣに対して、下位装置からのフレーム同期信号ＦＬが遅れている場合には、「＋（プラス）ずれ量」となる通知情報を形成し、これを対応する補正部２９（１）〜２９（ｎ）に通知する。また、基準同期信号ＳＹＮＣに対して、下位装置からのフレーム同期信号ＦＬが進んでいる場合には、「−（マイナス）ずれ量」となる通知情報を形成し、これを対応する補正部２９（１）〜２９（ｎ）に通知する。
【０１１５】
この場合、「＋ずれ量」は、基準同期信号ＳＮＣに対するフレーム同期信号ＦＬの「遅れ量」に相当する。また、「−ずれ量」は、基準同期信号ＳＮＣに対するフレーム同期信号ＦＬの「進み量」に相当する。これら「＋ずれ量」、「−ずれ量」のそれぞれは、例えば、１ｍｓ単位、１／１０ｍｓ単位、１／１００ｍｓ単位などの時間情報である。この他、システムクロック数により「＋ずれ量」、「−ずれ量」を表現するようにしてもよい。
【０１１６】
補正部２９（１）〜２９（ｎ）のそれぞれは、比較部２６（１）〜２６（ｎ）からのずれ量を示す通知情報に基づいて、同期信号生成回路２５からの基準同期信号ＳＹＮＣの周期を補正する。比較部２６（１）〜２６（ｎ）からの通知情報が、「＋ずれ量」である場合には、基準同期信号ＳＹＮＣに対してフレーム同期信号が「＋ずれ量」分遅れていることになる。この場合、補正部２９（１）〜２９（ｎ）は、基準同期信号ＳＹＮＣの周期を当該「ずれ量」分短く（早く）するように補正する。この場合、本来の基準同期信号ＳＹＮＣの周期は１３０ｍｓであるので、これをずれ量に応じて、例えば１２９ｍｓ、１２８ｍｓなどのように短くする補正を行うことになる。
【０１１７】
逆に、比較部２６（１）〜２６（ｎ）からの通知情報が、「−ずれ量」である場合には、基準同期信号ＳＹＮＣに対してフレーム同期信号ＦＬが「−ずれ量」分進んでいることになる。この場合、補正部２９（１）〜２９（ｎ）は、基準同期信号ＳＹＮＣの周期を当該「ずれ量」分長く（遅く）するように補正する。本来の基準同期信号ＳＹＮＣの周期は１３０ｍｓであるので、これをずれ量に応じて、例えば１３１ｍｓ、１３２ｍｓなどのように長くする補正を行う。
【０１１８】
なお、補正単位は、１ｍｓ単位ではなく、上述もしたように、１／１０ｍｓ単位、１／１００ｍｓ単位のように、より精度高く行うようにすることもできる。逆に、２ｍｓ単位、３ｍｓ単位などのように、より大きく補正を行うようにすることもできる。
【０１１９】
そして、補正部２９（１）〜２９（ｎ）のそれぞれは、補正後の基準同期信号ＳＹＮＣをＬＡＮＩ／Ｆ２３（１）〜２３（ｎ）を通じて、コードレス電話装置３１〜３ｎなどの下位装置に提供する。これにより、コードレス電話装置３１〜３ｎなどの下位装置では、ハブ装置２Ｂからの補正後の基準同期信号ＳＹＮＣに基づいて、フレーム同期信号ＦＬを生成するので、フレーム同期信号ＦＬの周期が調整され、ハブ装置２Ｂの同期信号生成回路２５で生成される基準同期信号ＳＹＮＣと、コードレス電話装置３１〜３の親機ＢＳ１〜ＢＳｎなどの下位装置で生成されるフレーム同期信号との同期を合わせることができる。
【０１２０】
そして、比較部２６Ａ（１）〜２６Ａ（ｎ）において、同期ずれが検出されない場合には、同期ずれのずれ量を示す通知情報は０（ゼロ）か、補正が必要のない所定範囲内のものとなり、補正部２９（１）〜２９（ｎ）での補正は行われない。したがって、この場合には、同期信号生成回路２５からの基準同期信号が補正部２９（１）〜２９（ｎ）及びＬＡＮＩ／Ｆ２３（１）〜２３（ｎ）を通じてそのまま下位装置に提供される。
【０１２１】
このようにして、ハブ装置２Ｂの機能により、ハブ装置２Ｂと、ハブ装置２Ｂに接続されたコードレス電話装置などの下位装置との間の同期を、使用者（ユーザ）の手を煩わせることなく、ハブ装置２Ｂが自律的に合わせることができる。
【０１２２】
［ハブ装置の他の例（３）］
図１１は、この他の例のハブ装置２Ｃを説明するためのブロック図である。図１１に示すハブ装置２Ｃは、図８に示したハブ装置２Ａと図１０に示したハブ装置２Ｂとの機能を併せ持つようにしたものである。したがって、図１１に示すハブ装置２Ｃにおいて、図８に示したハブ装置２Ａ、図１０に示したハブ装置２Ｂと同様に構成される部分には同じ参照符号を付し、それらの部分の説明は重複するので省略する。
【０１２３】
そして、図１１に示したハブ装置２Ｃを用いることにより、基準同期信号ＳＹＮＣとフレーム同期信号との同期ずれと、基準同期信号（上位）と基準同期信号（下位）との同期ずれとの両方を報知することができると共に、それら両同期信号間の同期合わせも自動的に行うことができる。
【０１２４】
［実施の形態の効果］
上述した実施の形態のハブ装置２を用いる場合には、上位装置で生成される基準同期信号と、下位装置であるコードレス電話装置の親機で生成されるフレーム同期信号との間で同期ずれを生じさせている機器間（箇所）を報知できる。これにより、当該箇所に対して、同期ずれを解消するための適切な対応を迅速に取ることができる。
【０１２５】
また、ハブ装置２Ａを用いる場合には、上位装置である例えばハブ装置２で生成される基準同期信号と、下位装置であるハブ装置２Ａで生成される基準同期信号との間で同期ずれを生じさせている場合には、これを報知できる。これにより、当該箇所に対して、同期ずれを解消するための適切な対応を迅速に取ることができる。
【０１２６】
また、上述した実施の形態のハブ装置２Ｂを用いる場合には、上位装置で生成される基準同期信号と、下位装置であるコードレス電話装置の親機で生成されるフレーム同期信号との間で生じている同期ずれを自動的に補正し、同期合わせを行うことができる。また、同期ずれを生じさせている機器間（箇所）の報知もできる。
【０１２７】
また、上述した実施の形態のハブ装置２Ｂを用いる場合には、上位装置である例えばハブ装置２で生成される基準同期信号と、下位装置であるハブ装置２Ｃで生成される基準同期信号との間で生じている同期ずれも自動的に補正し、同期合わせを行うことができる。また、同期ずれを生じさせている機器間（箇所）の報知もできる。
【０１２８】
［変形例］
上述した実施の形態のハブ装置２Ｂ、２Ｃを用いる場合には、まず、同期ずれの発生個所を特定して、ＬＡＮケーブルの交換などの対応を取った後に、それでも同期ずれが解消しない箇所がある場合に、同期ずれの自律的な解消を行うようにすることができる。具体的には、ハブ装置２Ｂ、２Ｃを用いる場合において、まず、補正部２９（１）〜２９（ｎ）では補正を行わず、同期信号生成回路２５、２５Ａからの基準同期信号をそのまま、ＬＡＮＩ／Ｆ２３（１）〜２３（ｎ）を通じて下位装置に供給する。
【０１２９】
例えば、補正部２９（１）〜２９（ｎ）を、これらを機能させるための所定のイネーブル信号が供給されないうちは、補正機能は機能させないように構成する。あるいは、所定の制御信号が比較部２６（１）〜２６（ｎ）に供給されるまで、比較部２６（１）〜２６（ｎ）が同期ずれに応じた通知信号を補正部２９（１）〜２９（ｎ）に供給しないようにする。
【０１３０】
前者の場合には、当該イネーブル信号の補正部２９（１）〜２９（ｎ）への供給を指示する指示操作を受け付ける指示操作部とイネーブル信号生成部をハブ装置２Ｂ、２Ｃに設ける。後者の場合には、所定の制御信号の比較部２６（１）〜２６（ｎ）への供給を指示する指示操作を受け付ける指示操作部と当該制御信号の生成部をハブ装置２Ｂ、２Ｃに設ける。
【０１３１】
そして、初めに、比較部２６Ａ（１）〜２６Ａ（ｎ）、ＬＥＤドライバ２７（１）〜２７（ｎ）、ＬＥＤ部２８（１）〜２８（ｎ）の機能により、同期ずれの発生している機器間を特定し、ＬＡＮケーブルを適切なものに交換するなどの対応を行う。このようにして、同期ずれの外的要因を全て解消する。
【０１３２】
この後に、使用者の指示操作により、補正部２９（１）〜２９（ｎ）での補正処理を行うようにする。このようにすれば、下位装置の発振器の精度不良などの内的要因により発生している同期ずれのみを、適切に補正し、同期ずれを解消させることができる。したがって、補正部２９（１）〜２０（ｎ）に過度の負担がかかることもない。
【０１３３】
また、上述した実施の形態では、必ず主装置１の下位に、ハブ装置２、ハブ装置２Ａ、ハブ装置２Ｂ、ハブ装置２Ｃを設けるものとして説明したがこれに限るものではない。例えば、比較的に小規模なビジネスホンシステムの場合には、主装置にコードレス電話装置を直接接続してビジネスホンシステムを構成する場合もある。このため、主装置に対して、図４を用いて説明したハブ装置２の機能や図１０を用いて説明したハブ装置２Ｂの機能を設ける。これにより、主装置のＬＥＤ部によって同期ずれの生じている機器間を特定したり、同期ずれの補正を自動的に行うようにしたりすることができる。
【０１３４】
また、上述した実施の形態では、音声信号と制御信号はパケット化してパケットデータとして提供し、基準同期信号やフレーム同期信号は、ＬＡＮケーブルの空いているラインを専用の伝送ラインとして用いて伝送するようにした。しかし、これに限るものではない。例えば、基準同期信号やフレーム同期信号を、パケットデータに多重化して伝送することもできる。
【０１３５】
このようにした場合には、ハブ装置２などのＬＡＮＩ／Ｆ２３（１）〜２３（ｎ）の前段（同期信号生成回路２５や比較部２６や切替制御部２２側）に多重化／分離部を設ける。そして、当該多重化／分離部で多重化した信号をＬＡＮＩ／Ｆ２３（１）〜２３（ｎ）を通じて送信したり、ここで分離したパケットデータを切替制御部２２に供給したり、フレーム同期信号を比較部に供給したりすればよい。
【０１３６】
一方、親機ＢＳ１〜ＢＳｎのＬＡＮＩ／Ｆ４７の前段（パケット分解／生成部４２１やＰＬＬ部４２４側）に多重化／分離部を設ける。ここでパケット分解／生成部４２１からのパケットデータと同期信号発生回路４３からのフレーム同期信号を多重化して、ＬＡＮＩ／Ｆ４７を通じて上位装置に送信しる。また、ＬＡＮＩ／Ｆ４７を通じて受け付けた多重化信号を、多重化／分離部で分離処理を行い、分離したパケットデータをパケット分解／生成部４２１に供給したり、基準同期信号ＳＹＮＣをＰＬＬ部４２４に供給したりすればよい。
【０１３７】
また、上述した実施の形態のハブ装置２、２Ａ、２Ｂ，２Ｃにおいては、緑色ＬＥＤと赤色ＬＥＤとの２色のＬＥＤを用いるようにしたが、これに限るものではない。例えば、赤色ＬＥＤだけを用い、同期ずれが発生している場合には、赤色ＬＥＤを点灯あるいは点滅させ、同期ずれが発生していない場合には、当該赤色ＬＥＤを消灯させるようにして、同期ずれの発生の有無を報知するようにしてもよい。また、用いるＬＥＤの発光色も緑色と赤色に限らず、種々の色のものを用いることができる。
【０１３８】
また、上述した実施の形態のハブ装置２、２Ａ、２Ｂ，２Ｃにおいては、ＬＥＤ部２８（１）〜２８（ｎ）を通じて、同期ずれの発生の有無を報知したが、これに限るものではない。ハブ装置２、２Ａ、２Ｂ，２ＣにＬＣＤ（Liquid Crystal Display）とＬＣＤコントローラを設け、このＬＣＤを通じて、同期ずれの発生の有無を報知するようにしてもよい。
【０１３９】
［その他］
請求項における上位装置の第１の同期信号生成手段の機能は、実施の形態のハブ装置２の同期信号生成回路２５が実現し、請求項における上位装置の第１の送出手段、第１の受付手段の機能は、実施の形態のハブ装置２の主にＬＡＮＩ／Ｆ２３（１）〜２３（ｎ）が実現している。また、請求項における上位装置の比較手段の機能は、実施の形態のハブ装置２、２Ａ、２Ｂ、２Ｃの比較部２６（１）〜２６（ｎ）が実現し、請求項における上位装置の報知手段の機能は、実施の形態のハブ装置２、２Ａ、２Ｂ、２Ｃの主にＬＥＤ部２８（１）〜２８（ｎ）が実現している。
【０１４０】
また、請求項における下位装置の第２の受付手段、第２の送出手段の機能は、実施の形態の親機ＢＳ１等のＬＡＮＩ／Ｆ４７が実現し、請求項における下位装置の第２の同期信号生成手段の機能は、実施の形態の親機ＢＳ１等の同期信号発生回路４３が実現している。
【０１４１】
また、実施の形態の上位装置の補正手段の機能は、実施の形態のハブ装置２Ｂ、２Ｃの補正部２９（１）〜２９（ｎ）が実現している。また、請求項における上位装置の第３の送出手段、第３の受付手段の機能は、実施の形態のハブ装置２Ｂ、２Ｃの主にＬＡＮＩ／Ｆ２１Ａが実現している。
【符号の説明】
【０１４２】
１…主装置、１０１…ＩＰ網への接続ポート、１０２…ＩＰ網Ｉ／Ｆ、１０３…パケット分解／生成部、１０４…電話網Ｉ／Ｆ、１０５…電話網への接続ポート、１０６…アドレス管理ＤＢ、１０７…ＬＡＮＩ／Ｆ、１０８…ＬＡＮ接続ポート、１１０…制御部、２、２Ａ、２Ｂ、２Ｃ…ハブ装置、２１、２１Ａ…ＬＡＮＩ／Ｆ、２２…切替制御部、２３（１）〜２３（ｎ）…ＬＡＮＩ／Ｆ、２４…発振器、２５、２５Ａ…同期信号生成回路、２６（１）〜２６（ｎ）…比較部、２６Ａ（１）〜２６Ａ（ｎ）…比較部、２７（１）〜２７（ｎ）…ＬＥＤドライバ、２８（１）〜２８（ｎ）…ＬＥＤ部、２９（１）〜２９（ｎ）…補正部、３１〜３ｎ…コードレス電話装置、ＢＳ１〜ＢＳｎ…親機、４１…制御回路、４２…回線ＬＳＩ部、４２１…パケット分解／生成部、４２２…制御信号処理部、４２３…音声信号処理部、４２４…ＰＬＬ部、４３…同期信号生成回路、４３１…カウンタ、４３２…同期信号生成部、４４…無線通信回路、４４１…制御部、４４２…ＴＤＭＡ変復調部、４４２１…ＰＬＬ部、４４３…無線通信部、４５…発振器、４６…発振器、ＨＳ１〜ＨＳｎ…子機、４７…ＬＡＮＩ／Ｆ
【図１】
2018164130.tif 000003
【図２】
2018164130.tif 000004
【図３】
2018164130.tif 000005
【図４】
2018164130.tif 000006
【図５】
2018164130.tif 000007
【図６】
2018164130.tif 000008
【図７】
2018164130.tif 000009
【図８】
2018164130.tif 000010
【図９】
2018164130.tif 000011
【図１０】
2018164130.tif 000012
【図１１】
2018164130.tif 000013
【図１２】
2018164130.tif 000014